(57)【特許請求の範囲】
【請求項１】
居室親機（４）と、居室親機用中継器（５）と、前記居室親機用中継器を制御する制御機（８）とを備え、
前記居室親機用中継器は、機器のＩＤを登録し得るＩＤ登録部（５２）と、前記ＩＤ登録部にて設定される内容のＩＤ値を記憶する記憶部（５３）と、前記ＩＤ登録部にて設定される内容が変更されたとき変更前に前記記憶部に記憶されたＩＤ値と前記変更されたＩＤ値とを照合し、両者のＩＤ値が異なると前記ＩＤ登録部の設定内容を無視してＩＤ値の変更を禁止し前記記憶部に記憶された設定内容のＩＤ値で動作するためのＣＰＵ（５１）とを備えたことを特徴とするインターホンシステム。
【請求項２】
前記制御機は、前記記憶部の記憶内容を前記ＩＤ登録部の内容に変更するにあたりＩＤ値を変更する要求を前記居室親機用中継器へ通知する操作パソコン（１０）を備えたことを特徴とする請求項１記載のインターホンシステム。
【請求項３】
前記居室親機は、前記ＩＤ登録部の登録内容を無視して動作している状態において、ＩＤ値の再設定を促すための情報を表示部（４４）に表示するための制御をおこなうＣＰＵ（４１）を備えたことを特徴とする請求項１または請求項２記載のインターホンシステム。
【請求項４】
前記居室親機は、前記居室親機の操作を行う操作部（４３）と、前記ＩＤ登録部の登録内容を無視して動作している状態時に前記ＩＤ登録部が再設定を行うまで前記操作部からの操作を禁止するためのＣＰＵ（４１）を備えたことを特徴とする請求項３記載のインターホンシステム。
【請求項５】
ベッド子機（２１）と、廊下灯（２２ａ、２２ｂ、…）と、ナースステーション（ＮＣ）に設置されるナースコール親機（２３）と、前記廊下灯を制御する制御機（２４）とを備え、
前記廊下灯は、機器のＩＤを登録し得るＩＤ登録部（２２２）と、前記ＩＤ登録部にて設定される内容のＩＤ値を記憶する記憶部（２２３）と、前記ＩＤ登録部にて設定される内容が変更されたとき変更前に前記記憶部に記憶されたＩＤ値と前記変更されたＩＤ値とを照合し、両者のＩＤ値が異なると前記ＩＤ登録部の設定内容を無視してＩＤ値の変更を禁止し前記記憶部に記憶された設定内容のＩＤ値で動作するためのＣＰＵ（２２１）とを備えたことを特徴とするインターホンシステム。
【請求項６】
前記制御機は、前記記憶部の記憶内容を前記ＩＤ登録部の内容に変更するにあたりＩＤ値を変更する要求を前記廊下灯へ通知する操作パソコン（２６）を備えたことを特徴とする請求項５記載のインターホンシステム。
【請求項７】
前記ナースコール親機は、前記廊下灯の前記ＩＤ登録部の登録内容を無視して動作している状態において、ＩＤの再設定を促すための情報を表示部（２３１）に表示するための制御をおこなうＣＰＵ（２３２）を備えたことを特徴とする請求項５または請求項６記載のインターホンシステム。
【発明の詳細な説明】
【０００１】
【発明の属する技術分野】
本発明は、インターホンシステムに係り、特に、ＩＤ登録部を有する居室親機用中継器若しくはＩＤ登録部を有する廊下灯を備えるインターホンシステムに関する。
【０００２】
【従来の技術】
従来から、この種のインターホンシステムとして、図３に示すような構成の集合住宅用インターホンシステムが知られている。
【０００３】
同図において、従来の集合住宅用インターホンシステムは、集合玄関に設置される集合玄関機１００と、集合玄関機を制御する中継器２００（以下「集合玄関機用中継器２００」という。）と、各住戸３００ａ、３００ｂ、…内に設置され個別の部屋番号を有する居室親機４００と、居室親機を制御する中継器５００（以下「居室親機用中継器５００」という。）と、管理室内等に設置される管理室親機６００と、管理室親機を制御する中継器７００（以下「管理室親機用中継器７００」という。）と、集合玄関機用中継器２００、居室親機用中継器５００および管理室親機用中継器７００をそれぞれ制御する制御機８００と、個人情報及びシステム情報を有するサーバ９００と、サーバの管理及びシステムの管理をする操作パソコン１０００と、制御機、サーバおよび操作パソコンを接続するＨＵＢ１１００とを備えている。また、集合玄関機用中継器２００、各住戸３００ａ、３００ｂ、…の居室親機用中継器５００および管理室親機用中継器７００は、それぞれＤＩＰＳＷ等で各機器のＩＤを登録し得るＩＤ登録部（不図示）を備えている。ここで、制御機８００は、第１〜第４の伝送路Ｌ１００〜Ｌ４００を介してそれぞれ集合玄関機用中継器２００、各住戸３００ａ、３００ｂ、…の居室親機用中継器５００、管理室親機用中継器７００およびＨＵＢ１１００に接続され、ＨＵＢ１１００には、第５、第６の伝送路Ｌ５００、Ｌ６００を介してそれぞれサーバ９００および操作パソコン１０００が接続されている。
【０００４】
このような構成の集合住宅用インターホンシステムにおいては、先ず、システムの施工時において、ＤＩＰＳＷ等の操作により、各住戸３００ａ、３００ｂ、…の居室親機用中継器５００のＩＤ値が設定され、かかる各居室親機用中継器５００のＩＤ値がシステムの施工完了後において、制御機８００に登録される。
【０００５】
そして、かかる居室親機用中継器５００のＩＤ値に基づいて、居室親機４００の操作により、サーバ９００から個人情報が取得され、また、集合玄関機１００、管理室親機６００、若しくは他の居室親機４００からの操作により、当該居室親機４００が呼び出されて、当該居室親機４００と通話が行なわれる。また、当該居室親機４００から警報が発報されると、管理室親機等に当該居室親機４００の居室番号が表示される。
【０００６】
【発明が解決しようとする課題】
ところで、このような構成の集合住宅用インターホンシステムにおいては、居室親機用中継器のＩＤ登録部は、施工業者やサービス業者がＩＤ値の設定を容易に行なうようにするため、機器の表面上に設けられている。このため、居室親機用中継器のＩＤ値は、居住者等のユーザも簡単に変更することができることになる。
【０００７】
しかしながら、居室親機用中継器のＩＤ値をユーザが簡単に変更できるようにしておくと、システムの運用中において、ユーザがＩＤ値を勝手に変更し、変更したＩＤ値を利用して、サーバ９００から他のユーザのプライバシーに係る個人情報を勝手に取得する虞があった。また、ユーザによって他のユーザと同一のＩＤ値が設定されると、ＩＤ値が重複し、システムが誤動作する虞があった。
【０００８】
本発明は、このような難点を解消するためになされたもので、システムの運用中において、ユーザがＩＤ値を勝手に変更して、他のユーザのプライバシーに係る個人情報を取得するのを禁止し、また、ＩＤ値の重複によるシステムの誤動作を防止し得るインターホンシステムを提供することを目的としている。
【０００９】
【課題を解決するための手段】
このような目的を達成するため、本発明のインターホンシステムは、居室親機と、居室親機用中継器と、居室親機用中継器を制御する制御機とを備え、居室親機用中継器は、機器のＩＤを登録し得るＩＤ登録部と、ＩＤ登録部にて設定される内容のＩＤ値を記憶する記憶部と、ＩＤ登録部にて設定される内容が変更されたとき変更前に記憶部に記憶されたＩＤ値と変更されたＩＤ値とを照合し、両者のＩＤ値が異なるとＩＤ登録部の設定内容を無視してＩＤ値の変更を禁止し記憶部に記憶された設定内容のＩＤ値で動作するためのＣＰＵとを備えたことを特徴としている。
【００１０】
また、本発明のインターホンシステムにおける制御機は、記憶部の記憶内容をＩＤ登録部の内容に変更するにあたりＩＤ値を変更する要求を居室親機用中継器へ通知する操作パソコンを備えたことを特徴としている。
【００１１】
また、本発明のインターホンシステムにおける居室親機は、ＩＤ登録部の登録内容を無視して動作している状態において、ＩＤ値の再設定を促すための情報を表示部に表示するための制御をおこなうＣＰＵを備えたことを特徴としている。
【００１２】
また、本発明のインターホンシステムにおける居室親機は、居室親機の操作を行う操作部と、ＩＤ登録部の登録内容を無視して動作している状態時にＩＤ登録部が再設定を行うまで操作部からの操作を禁止するためのＣＰＵを備えたことを特徴としている。
【００１３】
また、本発明のインターホンシステムは、ベッド子機と、廊下灯と、ナースステーションに設置されるナースコール親機と、廊下灯を制御する制御機とを備え、廊下灯は、機器のＩＤを登録し得るＩＤ登録部と、ＩＤ登録部にて設定される内容のＩＤ値を記憶する記憶部と、ＩＤ登録部にて設定される内容が変更されたとき変更前に記憶部に記憶されたＩＤ値と変更されたＩＤ値とを照合し、両者のＩＤ値が異なるとＩＤ登録部の設定内容を無視してＩＤ値の変更を禁止し記憶部に記憶された設定内容のＩＤ値で動作するためのＣＰＵとを備えたことを特徴としている。
【００１４】
また、本発明のインターホンシステムにおける制御機は、記憶部の記憶内容をＩＤ登録部の内容に変更するにあたりＩＤ値を変更する要求を廊下灯へ通知する操作パソコンを備えたことを特徴としている。
【００１５】
また、本発明のインターホンシステムにおけるナースコール親機は、廊下灯のＩＤ登録部の登録内容を無視して動作している状態において、ＩＤの再設定を促すための情報を表示部に表示するための制御をおこなうＣＰＵを備えたことを特徴としている。
【００１６】
本発明のインターホンシステムによれば、システムの運用中において、居住者や看護婦、患者等のユーザがＩＤ値を勝手に変更しても、かかる変更が中継器ＣＰＵ若しくは廊下灯ＣＰＵの制御によって無視され、居室親機の操作部からの操作が禁止されることから、ユーザが勝手に他のユーザのプライバシーに係る個人情報を取得することができなくなり、また、ＩＤ値の重複によるシステムの誤動作を防止することができる。
【００１７】
【発明の実施の形態】
以下、本発明のインターホンシステムを集合住宅用インターホンシステムに適用した場合の実施例について、図面を参照して説明する。
【００１８】
図１において、本発明における集合住宅用インターホンシステムは、集合玄関に設置される集合玄関機１と、集合玄関機を制御する中継器２（以下「集合玄関機用中継器２」という。）と、各住戸３ａ、３ｂ、…内に設置され個別の部屋番号を有する居室親機４と、居室親機を制御する中継器５（以下「居室親機用中継器５」という。）と、管理室内等に設置される管理室親機６と、管理室親機を制御する中継器７（以下「管理室親機用中継器７」という。）と、集合玄関機用中継器２、居室親機用中継器５および管理室親機用中継器７をそれぞれ制御する制御機８と、個人情報及びシステム情報を有するサーバ９と、サーバの管理及びシステムの管理をする操作パソコン１０と、制御機、サーバおよび操作パソコンを接続するＨＵＢ１１とを備えている。ここで、制御機８は、第１〜第４の伝送路Ｌ１〜Ｌ４を介してそれぞれ集合玄関機用中継器２、各住戸３ａ、３ｂ、…の居室親機用中継器５、管理室親機用中継器７およびＨＵＢ１１に接続され、ＨＵＢ１１には、第５、第６の伝送路Ｌ５、Ｌ６を介してそれぞれサーバ９および操作パソコン１０が接続されている。
【００１９】
各居室親機用中継器５は、それぞれＣＰＵ５１（以下「中継器ＣＰＵ５１」という。）と、ＤＩＰＳＷ等で機器のＩＤを登録し得るＩＤ登録部５２と、電源が切られても消去することができない不揮発性メモリ等で構成される記憶部５３と、制御機８との通信を行う通信部５４（以下「制御機通信部５４」という。）、居室親機４との通信を行う通信部５５（以下「居室親機通信部５５」という。）とを備えている。ここで、各中継器ＣＰＵ５１は、それぞれＩＤ登録部５２、記憶部５３、制御機通信部５４および居室親機通信部５５に接続され、各制御機通信部５４にはそれぞれ第２の伝送路Ｌ２を介して制御機８が接続されている。
【００２０】
各居室親機４は、それぞれＣＰＵ４１（以下「居室親機ＣＰＵ４１」という。）と、居室親機用中継器５と通信を行う通信部４２（以下「中継器通信部４２」という。）と、操作を行う操作部４３と、液晶デスプレイ等から成る表示部４４とを備えている。ここで、各居室親機ＣＰＵ４１は、それぞれ中継器通信部４２、操作部４３および表示部４４に接続され、各中継器通信部４２には、それぞれ対応する居室親機通信部５５が接続されている。
【００２１】
次に、このような構成の集合住宅用インターホンシステムの動作について説明する。
【００２２】
先ず、システムの施工中において、施工業者等がＤＩＰＳＷ等を利用して、例えば住戸３ａ内の居室親機用中継器５（以下「第１の居室親機用中継器５」という。）のＩＤ値を変更すると、中継器ＣＰＵ５１（以下「第１の中継器ＣＰＵ５１」という。）からシステムの施工中におけるＩＤ値変更信号が出力され、このＩＤ値変更信号が制御機通信部５４（以下「第１の制御機通信部５４」という。）および第２の伝送路Ｌ２を介して制御機８へ送出される。そうすると、制御機８から、ＩＤ値変更要求信号が出力され、このＩＤ値変更要求信号が第４の伝送路Ｌ４、ＨＵＢ１１および第６の伝送路Ｌ６を介して操作パソコン１０へ送出される。
【００２３】
ここで、施工業者等が操作パソコン１０から初期化信号を入力すると、かかる初期化信号が前述のＩＤ値変更要求信号およびＩＤ値変更信号と逆の経路を経由して第１の中継器ＣＰＵ５１へ送出される。そして、かかる初期化信号が第１の中継器ＣＰＵ５１で検出されると、第１の中継器ＣＰＵ５１の制御により、第１の居室親機用中継器５の記憶部５３（以下「第１の記憶部５３」という。）に記憶されているＩＤ値が、第１の居室親機用中継器５の登録部５２（以下「第１の登録部５２」という。）において変更されたＩＤ値に書き換えられる。これにより、書き換えられた新しいＩＤ値でシステムが運用される。
【００２４】
次に、システムの施工完了後に、第１の居室親機用中継器５において、ユーザ（ここでは居住者）がＤＩＰＳＷ等を利用して勝手に第１の居室親機用中継器５のＩＤ値を変更すると、第１の中継器ＣＰＵ５１からシステムの施工完了後におけるＩＤ値変更信号が出力され、このＩＤ値変更信号が前述のシステムの施工中のＩＤ値変更信号と同様の経路を経由して制御機８へ送出される。そうすると、制御機８から、ＩＤ値の変更を禁止するＩＤ値変更禁止信号が出力され、このＩＤ値変更禁止信号が前述のＩＤ値変更信号と逆の経路を経由して第１の中継器ＣＰＵ５１へ送出される。
【００２５】
そして、かかるＩＤ値変更禁止信号が第１の中継器ＣＰＵ５１で検出されると、第１の中継器ＣＰＵ５１の制御により、第１の記憶部５３からシステムの施工時に設定されたＩＤ値（以下「設定ＩＤ値」という。）が読み出され、この設定ＩＤ値と、変更されたＩＤ値（以下「変更ＩＤ値」という。）とが照合される。
【００２６】
そして、両者のＩＤ値が異なると、第１の中継器ＣＰＵ５１から不一致信号が出力され、この不一致信号が第１の居室親機用中継器５の居室親機通信部５５（以下「第１の居室親機通信部５５」という。）および第１の居室親機用中継器５に対応する中継器通信部４２（以下「第１の中継器通信部４２」という。）を介して居室親機ＣＰＵ４１（以下「第１の居室親機ＣＰＵ４１」という。）へ伝送される。そして、かかる不一致信号が第１の居室親機ＣＰＵ４１で検出されると、第１の居室親機ＣＰＵ４１の制御により、表示部４４（以下「第１の表示部４４」という。）に、「ＩＤ値を再設定して下さい」等の表示がなされ、住戸３ａに係るユーザに対して注意が喚起される。この状態において第１の居室親機ＣＰＵ４１は、ユーザが操作部４３を操作した場合、当該操作を受け付けないようにするためユーザがＩＤ値を再設定するまで受信する信号を無視し、あるいは操作部４３がタッチパネルである場合においては、操作部４３の操作のためのボタンを消去して、その状態を維持するよう制御する。これによってユーザに対してさらに強く注意が喚起され、ＩＤ値の再設定を促すことができる。
【００２７】
図２は、本発明のインターホンシステムをナースコールインターホンシステムに適用した場合の他の実施例を示している。
【００２８】
同図において、本発明におけるナースコールインターホンシステムは、各病室Ａ、Ｂ、…毎に、複数の患者用ベッド付近にそれぞれ設置されるベッド子機２１と、各病室Ａ、Ｂ、…の入口付近にそれぞれ設置され、ベッド子機２１からの呼出しを検出する廊下灯２２ａ、２２ｂ、…と、ナースステーションＮＣに設置されるナースコール親機２３と、各廊下灯２２ａ、２２ｂ、…を制御する制御機２４と、個人情報及びシステム情報を有するサーバ２５と、サーバ２５の管理及びシステムの動作を管理する操作パソコン２６と、制御機２４、サーバ２５および操作パソコン２６を接続するＨＵＢ２７とを備えている。ここで、制御機２４は、第１１〜第１３の伝送路Ｌ１１〜Ｌ１３を介して各廊下灯２２ａ、２２ｂ、…、ナースコール親機２３およびＨＵＢ２７に接続され、各廊下灯２２ａ、２２ｂ、…には第１４の伝送路Ｌ１４ａ、Ｌ１４ｂ、…を介して対応するベッド子機２１が、ＨＵＢ２７には第１５、第１６の伝送路Ｌ１５、Ｌ１６を介してそれぞれサーバ２５および操作パソコン２６が接続されている。
【００２９】
各ベッド子機２１は、それぞれ、ナースステーション内の看護人を呼び出すための呼出しボタン２１１と、患者が看護人と通話するための子機マイク２１２および子機スピーカ２１３とを備えており、これらの各ベッド子機２１は、病室Ａ、Ｂ、…毎に、それぞれ相互にライン接続されている。
【００３０】
各廊下灯２２ａ、２２ｂ、…は、それぞれＣＰＵ２２１（以下「廊下灯ＣＰＵ２２１」という。）と、ＤＩＰＳＷ等で機器のＩＤを登録し得るＩＤ登録部２２２と、電源が切られても消去することができない不揮発性メモリ等で構成される記憶部２２３と、制御機２４との通信を行う通信部２２４（以下「制御機通信部２２４」という。）、ベッド子機２１との通信を行う通信部２２５（以下「ベッド子機通信部２２５」という。）とを備えている。ここで、各廊下灯ＣＰＵ２２１は、それぞれＩＤ登録部２２２、記憶部２２３、制御機通信部２２４およびベッド子機通信部２２５に接続され、各制御機通信部２２４にはそれぞれ第１１の伝送路Ｌ１１を介して制御機２４が接続されている。
【００３１】
ナースコール親機２３は、ＣＰＵ２３２（以下「親機ＣＰＵ２３２」という。）と、制御機２４との通信を行う通信部２３４（以下「親機通信部２３４」という。）と、選局呼出や患者との通話時に操作を行う操作部２３３と、液晶デスプレイ等から成る表示部２３１とを備えている。ここで、親機ＣＰＵ２３２は、それぞれ表示部２３１、操作部２３３および親機通信部２３４に接続されている。
【００３２】
次に、このような構成のナースコールインターホンシステムの動作について説明する。
【００３３】
先ず、システムの施工中において、施工業者等がＤＩＰＳＷ等を利用して、例えば廊下灯２２ａ（以下「第１の廊下灯２２ａ」という。）のＩＤ値を変更すると、第１の廊下灯２２ａの廊下灯ＣＰＵ２２１（以下「第１の廊下灯ＣＰＵ２２１」という。）からシステムの施工中におけるＩＤ値変更信号が出力され、このＩＤ値変更信号が第１の廊下灯２２ａの制御機通信部２２４（以下「第１の制御機通信部２２４」という。）および第１１の伝送路Ｌ１１を介して制御機２４へ送出される。そうすると、制御機２４から、ＩＤ値変更要求信号が出力され、このＩＤ値変更要求信号が第１３の伝送路Ｌ１３、ＨＵＢ２７および第１６の伝送路Ｌ１６を介して操作パソコン２６へ送出される。
【００３４】
ここで、施工業者等が操作パソコン２６から初期化信号を入力すると、かかる初期化信号が前述のＩＤ値変更要求信号およびＩＤ値変更信号と逆の経路を経由して第１の廊下灯ＣＰＵ２２１へ送出される。そして、かかる初期化信号が第１の廊下灯ＣＰＵ２２１で検出されると、第１の廊下灯ＣＰＵ２２１の制御により、第１の廊下灯２２ａの記憶部２２３（以下「第１の記憶部２２３」という。）に記憶されているＩＤ値が、第１の廊下灯２２ａのＩＤ登録部２２２（以下「第１の登録部２２２」という。）において変更されたＩＤ値に書き換えられる。これにより、書き換えられた新しいＩＤ値でシステムが運用される。
【００３５】
次に、システムの施工完了後に、第１の廊下灯２２ａにおいて、ユーザ（ここでは看護人や患者）がＤＩＰＳＷ等を利用して勝手に第１の廊下灯２２ａのＩＤ値を変更すると、第１の廊下灯ＣＰＵ２２１からシステムの施工完了後におけるＩＤ値変更信号が出力され、このＩＤ値変更信号が前述のシステムの施工中のＩＤ値変更信号と同様の経路を経由して制御機２４へ送出される。そうすると、制御機２４から、ＩＤ値の変更を禁止するＩＤ値変更禁止信号が出力され、このＩＤ値変更禁止信号が前述のＩＤ値変更信号と逆の経路を経由して第１の廊下灯ＣＰＵ２２１へ送出される。
【００３６】
そして、かかるＩＤ値変更禁止信号が第１の廊下灯ＣＰＵ２２１で検出されると、第１の廊下灯ＣＰＵ２２１の制御により、第１の記憶部２２３からシステムの施工時に設定されたＩＤ値が読み出され、このＩＤ値と、変更されたＩＤ値とが照合され、両者のＩＤ値が異なると、第１の廊下灯ＣＰＵ２２１の制御により、ＩＤ登録部２２２が再設定されるまで第１の記憶部２２３に記憶されたＩＤ値で第１の廊下灯２２ａは動作する。また、制御機２４は、ナースステーションのナースコール親機２３に対して、第１の廊下灯２２ａから送信された不一致信号及び不一致となった廊下灯のＩＤ値を通知する。そして、ナースコール親機２３は、この不一致信号及びベッド番号を親機通信回路２３４を介して親機ＣＰＵ２３２で受信し、ナースコール親機の表示部２３１に例えば「病室Ａの廊下灯のＩＤ値を再設定して下さい」等の表示がなされ、ユーザに対して注意が喚起され、当該廊下灯のＩＤ値の再設定を促す。
【００３７】
【発明の効果】
以上の説明から明らかなように、本発明のインターホンシステムによれば、システムの運用中において、居住者や看護婦、患者等のユーザがＩＤ値を勝手に変更すると、かかる変更が中継器ＣＰＵ若しくは廊下灯ＣＰＵの制御によって無視され、居室親機の操作部からの操作が禁止されることから、ユーザが勝手に他のユーザのプライバシーに係る個人情報を取得することができなくなり、また、ＩＤ値の重複によるシステムの誤動作を防止することができる。
【図面の簡単な説明】
【図１】  本発明のインターホンシステムの一実施例を示すブロック図。
【図２】  本発明のインターホンシステムの他の実施例におけるブロック図。
【図３】  従来のインターホンシステムのブロック図。
【符号の説明】
４・・・・居室親機
５・・・・居室親機用中継器
８・・・・制御機
４１・・・・ＣＰＵ（居室親機ＣＰＵ）
４３・・・・操作部
４４・・・・表示部
５１・・・・ＣＰＵ（中継器ＣＰＵ）
５２・・・・ＩＤ登録部
５３・・・・記憶部
２１・・・・ベッド子機
２２ａ、２２ｂ、… ・・・・廊下灯
２３・・・・ナースコール親機
２４・・・・制御機
【図１】
0003980895.tif 000002
【図２】
0003980895.tif 000003
【図３】
0003980895.tif 000004